Podtech/llm-jp-corpus-v4-ja_patent huggingface dataset:
【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
プロピオニルＬ−カルニチンまたはその医薬上許容される塩を含む勃起障害の治療のための医薬組成物。
【請求項２】
真性糖尿病を患う患者における勃起障害の治療のための、請求項１に記載の医薬組成物。
【請求項３】
医薬上許容される塩が、塩化物、臭化物、オロチン酸塩、酸アスパラギン酸塩、酸クエン酸塩、クエン酸マグネシウム塩、酸リン酸塩、フマル酸塩および酸フマル酸塩、フマル酸マグネシウム塩、乳酸塩、マレイン酸塩、酸マレイン酸塩、ムケート、酸シュウ酸塩、パモ酸塩、酸パモ酸塩、酸硫酸塩、グルコースリン酸塩、酒石酸塩、酸酒石酸塩、酒石酸マグネシウム塩、２−アミノエタンスルホン酸塩、２−アミノエタンスルホン酸マグネシウム塩、コリン酒石酸塩およびトリクロロ酢酸塩からなる群から選択される、請求項１または２に記載の医薬組成物。
【請求項４】
アルカノイルＬ−カルニチンまたはその医薬上許容される塩と、１または複数の勃起障害の治療に有用な薬剤との組み合わせ、ここでアルカノイル基は、直鎖状または分枝状であり、炭素原子数２−６である。
【請求項５】
該有用な薬剤が、シルデナフィル、アポモルフィン、プロスタグランジンＥ１、フェントラミンおよびパパベリンからなる群から選択される、請求項４に記載の組み合わせ。
【請求項６】
活性成分として請求項４または５に記載の組み合わせを含有し、少なくとも１つの医薬上許容される賦形剤および／または希釈剤を含む医薬組成物。
【請求項７】
請求項４または５に記載の組み合わせを含む、勃起障害の治療のための医薬組成物。
【請求項８】
請求項４または５に記載の組み合わせを含む、真性糖尿病を患う患者における勃起障害の治療のための医薬組成物。
【請求項９】
請求項４または５に記載の組み合わせを含む、該有用な薬剤による治療に応答しない患者における勃起障害の治療のための医薬組成物。
【請求項１０】
請求項４または５に記載の組み合わせを含む、該有用な薬剤による治療に応答しない糖尿病患者における勃起障害の治療のための医薬組成物。
【請求項１１】
該有用な薬剤が、シルデナフィル、アポモルフィン、プロスタグランジンＥ１、フェントラミンおよびパパベリンからなる群から選択される、請求項７から１０のいずれかに記載の医薬組成物。
【請求項１２】
アルカノイルＬ−カルニチンがプロピオニルＬ−カルニチンである、請求項７から１１のいずれかに記載の医薬組成物。
【手続補正２】
【補正対象書類名】明細書
【補正対象項目名】００１９
【補正方法】変更
【補正の内容】
【００１９】
プロピオニルＬ−カルニチンの使用に関する予備実験データによると、該化合物が、以前にシルデナフィルによって治療されていない糖尿病または非糖尿病患者において、勃起障害の治療に有用であることが示された。
【手続補正３】
【補正対象書類名】明細書
【補正対象項目名】００２０
【補正方法】変更
【補正の内容】
【００２０】
それゆえ本発明の目的は、プロピオニルＬ−カルニチンまたはその医薬上許容される塩の、勃起障害の治療薬の調製のための使用である。
本発明のさらなる目的は、真性糖尿病を患う患者における勃起障害の治療薬の調製のためのプロピオニルＬ−カルニチンの使用である。
【手続補正書】
【提出日】平成17年11月28日(2005.11.28)
【手続補正１】
【補正対象書類名】特許請求の範囲
【補正対象項目名】全文
【補正方法】変更
【補正の内容】
【特許請求の範囲】
【請求項１】
ナイセリア性抗原および無毒化されたＡＤＰ−リボシル化トキシンを含む、組成物。
【請求項２】
請求項１に記載の組成物であって、前記ナイセリア性抗原が、Ｎ．ｍｅｎｉｎｇｉｔｉｄｉｓ抗原である、組成物。
【請求項３】
請求項２に記載の組成物であって、前記ナイセリア性抗原が、Ｎ．ｍｅｎｉｎｇｉｔｉｄｉｓ血清群Ｂタンパク質抗原である、組成物。
【請求項４】
請求項３に記載の組成物であって、前記抗原が、以下：
（ａ）ＷＯ９９／２４５７８に開示される４４６個の偶数の配列番号（すなわち、２、４、６、．．．、８９０、８９２）のうちの１つ以上を含むタンパク質；
（ｂ）参考文献ＷＯ９９／３６５４４に開示される４５個の偶数の配列番号（すなわち、２、４、６、．．．、８８、９０）のうちの１つ以上を含むタンパク質；
（ｃ）参考文献ＷＯ９９／５７２８０に開示される１６７４個の偶数の配列番号２〜３０２０、偶数の配列番号３０４０〜３１１４、および全ての配列番号３１１５〜３２４１のうちの１つ以上を含むタンパク質；
（ｄ）２１６０個のアミノ酸配列ＮＭＢ０００１〜ＮＭＢ２１６０のうちの１つ以上を含むタンパク質；
（ｅ）（ａ）、（ｂ）、（ｃ）、または（ｄ）に特定されるアミノ酸配列に対して、少なくとも５０％の配列同一性を有するアミノ酸配列を含む、タンパク質；
（ｆ）（ａ）、（ｂ）、（ｃ）、または（ｄ）に特定されるアミノ酸配列の少なくとも７アミノ酸のフラグメントを含む、タンパク質；
（ｇ）ＷＯ０１／６４９２０またはＷＯ０１／６４９２２またはＰＣＴ／ＩＢ０２／０３９０４に開示されるアミノ酸配列の１つ以上を含む、タンパク質；あるいは
（ｈ）式ＮＨ２−Ａ−［−Ｘ−Ｌ−］ｎ−Ｂ−ＣＯＯＨを有するタンパク質であって、ここで、Ｘが、アミノ酸配列であり、Ｌが、任意のリンカーアミノ酸配列であり、Ａが、任意のＮ末端アミノ酸配列であり、Ｂが、任意のＣ末端アミノ酸配列であり、そしてｎが、１より大きな整数である、タンパク質、
からなる群より選択される、組成物。
【請求項５】
請求項３または請求項４に記載の組成物であって、前記抗原が、ｏｒｆ１、ｏｒｆ４、ｏｒｆ２５、ｏｒｆ４０、ｏｒｆ４６．１、ｏｒｆ８３、ＮＭＢ１３４３、２３０、２３３、２８７、２９２、５９４、６８７、７３６、７４１、９０７、９１９、９３６、９５３、ＮａｄＡまたは９８３のアミノ酸配列を含む、組成物。
【請求項６】
請求項５に記載の組成物であって、前記抗原が、ｏｒｆ４６．１、２３０、２８７、７４１、９１９、９３６、９５３、ＮａｄＡまたは９８３のアミノ酸配列を含む、組成物。
【請求項７】
前記抗原が、ｏｒｆ４６．１、２８７、７４１またはＮａｄＡのアミノ酸配列を含む、請求項６に記載の組成物。
【請求項８】
前記抗原が、式ＮＨ２−Ａ−［−Ｘ−Ｌ−］ｎ−Ｂ−ＣＯＯＨを有するタンパク質であって、ここで、Ｘが、アミノ酸配列であり、Ｌが、任意のリンカーアミノ酸配列であり、Ａが、任意のＮ−末端アミノ酸配列であり、Ｂが、任意のＣ−末端アミノ酸配列であり、そしてｎが、１より大きい整数である、請求項４に記載の組成物。
【請求項９】
前記ｎの値が、２〜１０の間である、請求項８に記載の組成物。
【請求項１０】
各Ｘ部分が、ΔＧ２８７；２３０；９３６；７４１；９６１ｃ；２８７；９６１ｃＬ；ＯＲＦ４６．１；ΔＧ７４１からなる群より選択される、請求項８または９に記載の組成物。
【請求項１１】
−Ｌ−が、２０未満のアミノ酸を有する、請求項８〜１０のいずれか１項に記載の組成物。
【請求項１２】
−Ａ−が、４０未満のアミノ酸を有し、そして／または−Ｂ−が、４０未満のアミノ酸を有する、請求項８〜１１のいずれか１項に記載の組成物。
【請求項１３】
前記ＡＤＰ−リボシル化トキシンが、コレラトキシンおよび／またはＥ．ｃｏｌｉ熱不安定性エンテロトキシンである、請求項１〜１２のいずれかに記載の組成物。
【請求項１４】
前記トキシンが、残基Ｓｅｒ−６３またはＡｌａ−７２において変異を有するＬＴである、請求項１３に記載の組成物。
【請求項１５】
前記トキシンが、ＬＴ−Ｋ６３またはＬＴ−Ｒ７２である、請求項１４に記載の組成物。
【請求項１６】
前記組成物が、粘膜投与に適合される、請求項１〜１５のいずれかに記載の組成物。
【請求項１７】
前記組成物が、鼻腔内投与に適合される、請求項１６に記載の組成物。
【請求項１８】
前記組成物が、以下の抗原：
−Ｎ．ｍｅｎｉｎｇｉｔｉｄｉｓ由来の外膜ベシクル（ＯＭＶ）調製物；
−Ｎ．ｍｅｎｉｎｇｉｔｉｄｉｓ由来のサッカリド抗原；
−Ｓｔｒｅｐｔｏｃｏｃｃｕｓ  ｐｎｅｕｍｏｎｉａｅ由来のサッカリド抗原；
−Ａ型肝炎ウイルス、Ｂ型肝炎ウイルスまたはＣ型肝炎ウイルス由来の抗原；
−Ｂｏｒｄｅｔｅｌｌａ  ｐｅｒｔｕｓｓｉｓ由来の抗原；
−ジフテリア抗原；
−破傷風抗原；
−Ｈｅｌｉｃｏｂａｃｔｅｒ  ｐｙｌｏｒｉ由来のタンパク質抗原；
−Ｈａｅｍｏｐｈｉｌｕｓ  ｉｎｆｌｕｅｎｚａｅ由来のサッカリド抗原；
−Ｎ．ｇｏｎｏｒｒｈｏｅａｅ由来の抗原；
−Ｃｈｌａｍｙｄｉａ  ｐｎｅｕｍｏｎｉａｅ由来の抗原；
−Ｃｈｌａｍｙｄｉａ  ｔｒａｃｈｏｍａｔｉｓ由来の抗原；
−Ｐｏｒｐｈｙｒｏｍｏｎａｓ  ｇｉｎｇｉｖａｌｉｓ由来の抗原；
−ポリオ抗原；
−狂犬病抗原；
−麻疹、ムンプスおよび／または風疹抗原；
−インフルエンザ抗原；
−Ｍｏｒａｘｅｌｌａ  ｃａｔａｒｒｈａｌｉｓ由来の抗原；
−Ｓｔｒｅｐｔｏｃｏｃｃｕｓ  ａｇａｌａｃｔｉａｅ由来の抗原；
−Ｓｔｒｅｐｔｏｃｏｃｃｕｓ  ｐｙｏｇｅｎｅｓ由来の抗原；ならびに／または
−Ｓｔａｐｈｙｌｏｃｏｃｃｕｓ  ａｕｒｅｕｓ由来の抗原、
の１つ以上をさらに含む、請求項１〜１７のいずれかに記載の組成物。
【請求項１９】
緩衝液をさらに含む、請求項１〜１８のいずれかに記載の組成物。
【請求項２０】
６〜８の間のｐＨを有する、請求項１〜１９のいずれかに記載の組成物。
【請求項２１】
前記組成物が、滅菌されており、そして／または発熱物質を含まない、請求項１〜２０のいずれかに記載の組成物。
【請求項２２】
医薬としての使用のための、請求項１〜２１のいずれか１項に記載の組成物。
【請求項２３】
Ｎｅｉｓｓｅｒｉａ細菌に起因する感染を処置または予防するための医薬の製造における、請求項１〜２１のいずれか１項に記載の組成物の使用。
【請求項２４】
動物において免疫応答を惹起するための請求項１〜２１のいずれか１項に記載の組成物。
【請求項２５】
患者を処置するための請求項１〜２１のいずれか１項に記載の組成物。
【請求項２６】
前記組成物が、免疫原性組成物である、請求項１〜２１のいずれか１項に記載の組成物。
【請求項２７】
前記組成物が、ワクチンである、請求項１〜２１のいずれか１項に記載の組成物。
【請求項２８】
前記ナイセリア性抗原が、ｏｒｆ１またはｏｒｆ４０である、請求項１〜２１のいずれか１項に記載の組成物。
【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
オキシジェネート供給原料を軽オレフィンに変換する方法であって、触媒変換条件下、オキシジェネート供給原料と触媒を接触させる工程を含み、該触媒は結晶メタロアルミノリン酸モレキュラーシーブを含み、以下の実験式で表される無水ベースの化学組成を有する
（ＥＬｘＡｌｙＰｚ）Ｏ２
ここで、ＥＬはシリコン、ゲルマニウム及びこれらの混合物からなる群より選択される金属であり、及び“ｘ”はＥＬのモル分率であり０．０５以上の値を有し、“ｙ”はＡｌのモル分率であり少なくとも０．０１の値を有し、及び“ｚ”はＰのモル分率であり少なくとも０．０１の値を有し、ｘ＋ｙ＋ｚ＝１であり、該モレキュラーシーブ結晶は０．２ミクロン以下の少なくとも１の結晶構造（ｃｒｙｓｔａｌ ｄｉｍｅｎｓｉｏｎ）を有する。
【請求項２】
以下の実験式により表される無水ベースの化学組成を有する、結晶シリコアルミノリン酸モレキュラーシーブであって、
（ＳｉｘＡｌｙＰｚ）Ｏ２
ここで“ｘ”はＳｉのモル分率であり０．０５以上の値を有し、“ｙ”はＡｌのモル分率であり少なくとも０．０１の値を有し、“ｚ”はＰのモル分率であり少なくとも０．０１の値を有し、ｘ＋ｙ＋ｚ＝１であり、該モレキュラーシーブ結晶は０．２ミクロン以下の少なくとも１の結晶構造を有する。
【手続補正書】
【提出日】平成17年11月22日(2005.11.22)
【手続補正１】
【補正対象書類名】特許請求の範囲
【補正対象項目名】全文
【補正方法】変更
【補正の内容】
【特許請求の範囲】
【請求項１】
イオン性液体の、適切なカチオン成分を供給する第四級アンモニウム、ホスホニウム、イミダゾリウム、またはピリジニウムハライドと、適切なアニオン成分を供給する酸またはその塩とのアニオン交換反応によるイオン性液体の製造方法であって、上記反応を、超音波処理の下で実施する方法。
【請求項２】
ハライドのカチオン成分が、イミダゾリウムまたはピリジニウムカチオン、好ましくは、それぞれ１−エチル−３−メチルイミダゾリウム、１−（ｎ−ブチル）−３−メチルイミダゾリウム、もしくは１−メチル−３−（ｎ−プロピル）−イミダゾリウムハライド、または１−（ｎ−ブチル）−ピリジニウムハライドである、請求項１記載の方法。
【請求項３】
ハライドが、クロリド、ブロミド、またはヨージド、好ましくはクロリドである、請求項１または２記載の方法。
【請求項４】
酸またはその塩のアニオン成分が、テトラフルオロボラート、ヘキサフルオロホスファート、またはトリフルオロメタン−スルホナートである、請求項１〜３のいずれか１項記載の方法。
【請求項５】
酸またはその塩のカチオン成分が、アンモニウム、アルカリ金属、または銀、好ましくはアンモニウムまたは銀である、請求項１〜４のいずれか１項記載の方法。
【請求項６】
超音波処理を、少なくとも約２０kHzの周波数、好ましくは約２０〜約１００kHzの周波数、最も好ましくは約３０〜約５０kHzの周波数で行う、請求項１〜５のいずれか１項記載の方法。
【請求項７】
反応を、乾燥雰囲気下の無水溶媒中で実施する、請求項１〜６のいずれか１項記載の方法。
【請求項８】
溶媒が、反応体および所望の反応生成物に対して不活性であり、かつ脂肪族ケトンまたは脂肪族、脂環式もしくは芳香族炭化水素である有機溶媒である、請求項７記載の方法。
【請求項９】
溶媒が、アセトン、ジエチルケトン、ヘプタン、シクロヘキサン、またはトルエンである、請求項８記載の方法。
【請求項１０】
反応を、温度約０〜約４０℃、好ましくは約１０〜約３０℃、最も好ましくはほぼ室温で実施する、請求項１〜９のいずれか１項記載の方法。
【請求項１１】
用いる反応体である第四級アンモニウム、ホスホニウム、イミダゾリウム、またはピリジニウムハライド：酸または塩のモル比が、約１：１〜約１：１．１である、請求項１〜１０のいずれか１項記載の方法。
【請求項１２】
溶媒対第四級アンモニウム、ホスホニウム、イミダゾリウム、またはピリジニウムハライド反応体の比が、溶媒約０．５〜１０ml：ハライド反応体１mmolである、請求項７〜１１のいずれか１項記載の方法。
【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
プロピオニルＬ−カルニチンまたはその医薬上許容される塩の１つを含む、ペイロニー病の治療に有用な医薬組成物。
【請求項２】
経口投与に適したものである、請求項１記載の医薬組成物。
【請求項３】
筋肉内、静脈内およびプラーク内投与に適したものである、請求項１記載の医薬組成物。
【請求項４】
ペイロニー病が進行段階のものである、請求項１、２または３のいずれかに記載の医薬組成物。
【請求項５】
ペイロニー病が従来の治療に耐性のものである、請求項１、２または３のいずれかに記載の医薬組成物。
【請求項６】
プロピオニルＬ−カルニチンまたはその医薬上許容される塩の１つと、タモキシフェン、トリアムシノロン、およびベラパミルからなる群から選択されるペイロニー病の治療において有用な活性成分とを組み合わせて含む医薬組成物。
【請求項７】
プロピオニルＬ−カルニチンまたはその医薬上許容される塩の１つと、タモキシフェン、トリアムシノロン、およびベラパミルからなる群から選択されるペイロニー病の治療において有用な活性成分との組み合わせが、共使用に適したものである、請求項６記載の医薬組成物。
【請求項８】
ペイロニー病の治療に有用な活性成分と、プロピオニルＬ−カルニチンまたはその医薬上許容される塩の１つとを組み合わせて含む、ペイロニー病の治療に有用な医薬組成物。
【請求項９】
該活性成分が、トコフェロール類、ビタミンＥ、アロプリノール、アミノ安息香酸カリウム、タモキシフェン、免疫調節物質、トリアムシノロンおよびベラパミルからなる群から選択される、請求項８記載の医薬組成物。
【請求項１０】
経口、筋肉内、静脈内およびプラーク内投与に適したものである、請求項８記載の医薬組成物。
【請求項１１】
ペイロニー病の治療に有用な活性成分と、プロピオニルＬ−カルニチンまたはその医薬上許容される塩の１つとの組み合わせが、共使用に適したものである、請求項８記載の医薬組成物。
【請求項１２】
プロピオニルＬ−カルニチンの経口投与およびベラパミルのプラーク内投与に適したものである、請求項８記載の医薬組成物。
【請求項１３】
用量単位あたり１ｇのプロピオニルＬ−カルニチンまたは等量のその医薬上許容される塩の１つの経口投与および１０ｍｇのベラパミルのプラーク内投与に適したものである、請求項８記載の医薬組成物。
【請求項１４】
ペイロニー病が進行段階のものである、請求項８記載の医薬組成物。
【請求項１５】
ペイロニー病が従来の治療に耐性のものである、請求項８記載の医薬組成物。
【手続補正２】
【補正対象書類名】明細書
【補正対象項目名】００１１
【補正方法】変更
【補正の内容】
【００１１】
多数の科学文献に加えて、特許文献において様々な活性成分による該疾患の様々な治療方法が報告されている。例えば、国際特許出願第ＷＯ０１／１７４７９号、Androsolutions、（これは陰茎内カテーテルを介した薬剤の投与を伴う）；国際特許出願第ＷＯ０１／０９１７８号、Incyte Genomics、（これはシャペロニンを利用する）；多数のVivus Incの特許（米国特許第６１１３３９３号；米国特許第５９２５６２９号、米国特許第５７７３０２０号、米国特許第５４７４５３５号および欧州特許第０５２６５６６号）、およびその他多数を参照されたい。これらにおいて、もっとも一般的に示されている投与態様は尿道内型である。言及に値するその他の特許は、米国特許第６０９３１８１号、ブラジル特許第９８０１９８５号（クリームによる局所処置を提供するわずかな例の１つ）、米国特許第６０３３３７４号、米国特許第６０３１００５号、欧州特許第１０９７２０２号、米国特許第６０２２５３９号、欧州特許第０９８６４１７号、および米国特許第４３３８３００号。
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
一過性下部食道括約筋弛緩（ＴＬＥＳＲ）の抑制のための医薬の製造のための、カンナビノイド受容体アゴニスト、または製薬上許容しうるその塩または光学異性体の使用。
【請求項２】
胃食道逆流疾患（ＧＥＲＤ）の治療のための医薬の製造のための、カンナビノイド受容体アゴニスト、または製薬上許容しうるその塩または光学異性体の使用。
【請求項３】
逆流の予防のための医薬の製造のための、カンナビノイド受容体アゴニスト、または製薬上許容しうるその塩または光学異性体の使用。
【請求項４】
反流の治療または予防のための医薬の製造のための、カンナビノイド受容体アゴニスト、または製薬上許容しうるその塩または光学異性体の使用。
【請求項５】
治療または予防すべき反流が乳児における反流である請求項４記載の使用。
【請求項６】
肺疾患の治療または予防のための医薬の製造のための、カンナビノイド受容体アゴニスト、または製薬上許容しうるその塩または光学異性体の使用。
【請求項７】
肺疾患が反流胃内容物の吸入によるものである請求項６記載の使用。
【請求項８】
生育の障害を管理するための医薬の製造のための、カンナビノイド受容体アゴニスト、または製薬上許容しうるその塩または光学異性体の使用。
【請求項９】
生育の障害が摂取した栄養の過剰な損失によるものである請求項８記載の使用。
【請求項１０】
喘息の治療または予防のための医薬の製造のための、カンナビノイド受容体アゴニスト、または製薬上許容しうるその塩または光学異性体の使用。
【請求項１１】
喘息が逆流関連喘息である請求項１０記載の使用。
【請求項１２】
慢性喉頭炎の治療または予防のための医薬の製造のための、カンナビノイド受容体アゴニスト、または製薬上許容しうるその塩または光学異性体の使用。
【請求項１３】
カンナビノイド受容体アゴニストがＣＢ１受容体選択的カンナビノイド受容体アゴニストである請求項１〜１２の何れか一項に記載の使用。
【請求項１４】
カンナビノイド受容体アゴニストがＣＢ２受容体選択的カンナビノイド受容体アゴニストである請求項１〜１２の何れか一項に記載の使用。
【請求項１５】
カンナビノイド受容体アゴニストがエイコサノイドである請求項１〜１４の何れか一項に記載の使用。
【請求項１６】
カンナビノイド受容体アゴニストが伝統的なカンナビノイドである請求項１〜１４の何れか一項に記載の使用。
【請求項１７】
カンナビノイド受容体アゴニストが非伝統的なカンナビノイドである請求項１〜１４の何れか一項に記載の使用。
【請求項１８】
カンナビノイド受容体アゴニストがアミノアルキルインドールカンナビノイドである請求項１〜１４の何れか一項に記載の使用。
【請求項１９】
カンナビノイド受容体アゴニストが、アナンダミド；アラキドニル−２’−クロロエチルアミド（ＡＣＥＡ）；およびアラキドニルシクロプロピルアミド（ＡＣＰＡ）から選択される請求項１５記載の使用。
【請求項２０】
カンナビノイド受容体アゴニストがΔ9−テトラヒドロカンナビノール（Δ9−ＴＨＣ）；または１１−ヒドロキシ−Δ8−ＴＨＣ−ジメチルヘプチル（ＨＵ−２１０）である請
求項１６記載の使用。
【請求項２１】
カンナビノイド受容体アゴニストがＣＰ５５,９４０：
【化１】
2005511632.tif 000001
またはＬ−ナントラドール（ＣＰ５０,５５６）：（−）−（６Ｓ,６ａＲ,９Ｒ,１０ａＲ）−５,６,６ａ,７,８,９,１０ａ−オクタヒドロ−６−メチル−３−［（Ｒ）−１−メチル−４−フェニルブトキシ］−１,９−フェナントリジンジオール１−アセテートである
請求項１７記載の使用。
【請求項２２】
カンナビノイド受容体アゴニストがＷＩＮ５５,２１２−２：
【化２】
2005511632.tif 000002
またはＬ−７６８,２４２：
【化３】
2005511632.tif 000003
である請求項１８記載の使用。
【請求項２３】
カンナビノイド受容体アゴニストの１日当たり用量が０.１〜５００ｍｇの範囲内にあ
る請求項１〜２２の何れか一項に記載の使用。
【請求項２４】
カンナビノイド受容体アゴニスト、またはその製薬上許容しうる塩または光学異性体の製薬上および薬理学的に有効な量を一過性下部食道括約筋弛緩（ＴＬＥＳＲ）の抑制が必要な対象に投与することによる、該疾患の抑制方法。
【請求項２５】
胃食道逆流疾患（ＧＥＲＤ）の治療のための、カンナビノイド受容体アゴニスト、またはその製薬上許容しうる塩または光学異性体の製薬上および薬理学的に有効な量を含有する医薬。
【請求項２６】
逆流の予防のための、カンナビノイド受容体アゴニスト、またはその製薬上許容しうる塩または光学異性体の製薬上および薬理学的に有効な量を含有する医薬。
【請求項２７】
反流の治療または予防のための、カンナビノイド受容体アゴニスト、またはその製薬上許容しうる塩または光学異性体の製薬上および薬理学的に有効な量を含有する医薬。
【請求項２８】
治療または予防すべき反流が乳児における反流である請求項２７記載の医薬。
【請求項２９】
肺疾患の治療または予防のための、カンナビノイド受容体アゴニスト、またはその製薬上許容しうる塩または光学異性体の製薬上および薬理学的に有効な量を含有する医薬。
【請求項３０】
肺疾患が反流胃内容物の吸入によるものである請求項２９記載の医薬。
【請求項３１】
生育の障害の管理のための、カンナビノイド受容体アゴニスト、またはその製薬上許容しうる塩または光学異性体の製薬上および薬理学的に有効な量を含有する医薬。
【請求項３２】
生育の障害が摂取した栄養の過剰な損失によるものである請求項３１記載の医薬。
【請求項３３】
喘息の治療または予防のための、カンナビノイド受容体アゴニスト、またはその製薬上
許容しうる塩または光学異性体の製薬上および薬理学的に有効な量を含有する医薬。
【請求項３４】
喘息が逆流関連喘息である請求項３３記載の医薬。
【請求項３５】
慢性喉頭炎の治療または予防のための、カンナビノイド受容体アゴニスト、またはその製薬上許容しうる塩または光学異性体の製薬上および薬理学的に有効な量を含有する医薬。
【請求項３６】
カンナビノイド受容体アゴニストの１日当たり用量が０.１〜５００ｍｇの範囲内にあ
る請求項２５〜３５の何れか一項に記載の医薬。
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
ａ）少なくとも１種の脂肪族短鎖の抗菌的に有効なＣ5〜Ｃ14脂肪酸又はそれらの混合物と；
ｂ）少なくとも１種の弱Ｃ1〜Ｃ4カルボン酸と；
ｃ）硝酸であるか又は硝酸とリン酸の混合物である強酸と；
を含む消毒及び／又は洗浄組成物。
【請求項２】
前記少なくとも１種の弱カルボン酸が、酢酸、ヒドロキシ酢酸、プロピオン酸、ヒドロキシプロピオン酸、α−ケトプロピオン酸、クエン酸、酪酸、吉草酸、コハク酸、酒石酸、リンゴ酸、フマル酸、アジピン酸、ギ酸又はそれらの混合物である請求項１記載の組成物。
【請求項３】
前記少なくとも１種の脂肪族短鎖の抗菌的に有効な脂肪酸がＣ6〜Ｃ10脂肪酸である請求項１記載の組成物。
【請求項４】
前記脂肪族短鎖脂肪酸が、デカン酸、ノナン酸又はそれらの混合物である請求項１記載の組成物。
【手続補正書】
【提出日】平成17年6月21日(2005.6.21)
【手続補正１】
【補正対象書類名】特許請求の範囲
【補正対象項目名】全文
【補正方法】変更
【補正の内容】
【特許請求の範囲】
【請求項１】
眼瞼炎の処置における使用のための、アスコマイシンを含んでなる医薬組成物。
【請求項２】
アスコマイシンがＦＫ５０６；３３−エピ−クロロ−３３−デスオキシ−アスコマイシン；｛［１Ｅ−（１Ｒ,３Ｒ,４Ｒ）］１Ｒ,４Ｓ,５Ｒ,６Ｓ,９Ｒ,１０Ｅ,１３Ｓ,１５Ｓ,１６Ｒ,１７Ｓ,１９Ｓ,２０Ｓ｝−９−エチル−６,１６,２０−トリヒドロキシ−４−［２−（４−ヒドロキシ−３−メトキシ−シクロヘキシル）−１−メチルビニル］−１５,１７−ジメトキシ−５,１１,１３,１９−テトラメチル−３−オキサ−２２−アザ−トリシクロ［１８.６.１.０（１,２２）］ヘプタコス−１０−エン−２,８,２１,２７−テトラオン；｛１Ｒ,５Ｚ,９Ｓ,１２Ｓ−［１Ｅ−（１Ｒ,３Ｒ,４Ｒ）］,１３Ｒ,１４Ｓ,１７Ｒ,１８Ｅ,２１Ｓ,２３Ｓ,２４Ｒ,２５Ｓ,２７Ｒ｝１７−エチル−１,１４−ジヒドロキシ−１２−［２−（４−ヒドロキシ−３−メトキシ−シクロヘキシル）−１−メチルビニル］−２３,２５−ジメトキシ−１３,１９,２１,２７−テトラメチル−１１,２８−ジオキサ−４−アザ−トリシクロ［２２.３.１.０（４,９）］オクタコサ−５,１８−ジエン−２,３,１０,１６−テトラオン、また、５,６−デヒドロ−アスコマイシンとしても知られる；イミダゾリルメチルオキシアスコマイシン；３２−Ｏ−（１−ヒドロキシエチルインドール−５−イル）アスコマイシン、また、インドリル−ＡＳＣまたはＬ−７３２ ５３１としても知られる；および（３２−デオキシ−３２−エピ−Ｎ１−テトラゾリル）アスコマイシン、また、ＡＢＴ−２８１としても知られる、から選択される、請求項１に記載の医薬組成物。
【請求項３】
アスコマイシンがＦＫ５０６；および３３−エピ−クロロ−３３−デスオキシ−アスコマイシンから選択される、請求項１に記載の医薬組成物。
【請求項４】
アスコマイシンが３３−エピ−クロロ−３３−デスオキシ−アスコマイシンである、請求項１に記載の医薬組成物。
【請求項５】
医薬組成物が軟膏、クリーム、ゲル、またはローション、好ましくは軟膏である、請求項１に記載の医薬組成物。
【請求項６】
医薬組成物が局所投与用である、請求項１〜５に記載の医薬組成物。
【請求項７】
投与が患者のまぶたに局所的である、請求項６に記載の医薬組成物。
【請求項８】
眼瞼炎がブドウ球菌性眼瞼炎、脂漏性眼瞼炎またはアレルギー性眼瞼炎である、請求項１に記載の医薬組成物。
【請求項９】
医薬組成物が局所投与用であり、該組成物が軟膏、クリーム、ゲル、またはローションから選択される、請求項１に記載の医薬組成物。
【手続補正書】
【提出日】平成17年8月11日(2005.8.11)
【手続補正１】
【補正対象書類名】特許請求の範囲
【補正対象項目名】全文
【補正方法】変更
【補正の内容】
【特許請求の範囲】
【請求項１】
ＰＤＥ９Ａ阻害剤を有効成分とする冠動脈性心疾患の処置及び／又は予防用の医薬製剤。
【手続補正書】
【提出日】平成17年10月28日(2005.10.28)
【手続補正１】
【補正対象書類名】特許請求の範囲
【補正対象項目名】全文
【補正方法】変更
【補正の内容】
【特許請求の範囲】
【請求項１】
クメンヒドロペルオキシド開裂生成物混合物から不純物を除去する方法であって、
不純物を含有する塩水溶液相（２６）を不純物の水溶性誘導体（３０）を生成させるのに十分な温度及び時間加熱し、
水溶性誘導体（３０）を含有する塩水溶液相（２６）をクメンヒドロペルオキシド開裂生成物混合物（１６）と合流させて、合流生成物混合物とし、次いで
合流生成物混合物から、不純物の水溶性誘導体（３０）を含有する塩水溶液相（２６）を分離する
ことを含んでなる方法。
【請求項２】
さらに、塩水溶液相（２６）を不純物の水溶性誘導体（３０）の生成を最適化するのに十分な速度で循環させる工程を含む、請求項１記載の方法。
【請求項３】
さらに、不純物の５０％超を水溶性誘導体（３０）に転化させることを含む、請求項１記載の方法。
【請求項４】
前記不純物がメシチルオキシド、アセトアルデヒド、ヒドロキシアセトン、カルボニル含有不純物、アルデヒド含有不純物及びこれらの不純物１種以上を含む組合せからなる群から選択される、請求項１記載の方法。
【請求項５】
さらに、ｐＨを２〜８に維持するのに有効な量のアルカリ性水溶液（１８）を添加することを含む、請求項１記載の方法。
【請求項６】
塩水溶液相（２６）が１０〜３０重量％の硫酸ナトリウム溶液を含む、請求項１記載の方法。
【請求項７】
前記温度が１５０〜３５０℃である、請求項１記載の方法。
【請求項８】
さらに、不純物を含有する塩水溶液相（２６）を加熱しながら５０〜１５００ｌｂ／ｉｎ２の圧力を加えることを含む、請求項１記載の方法。
【請求項９】
前記時間が０．５〜１．５時間である、請求項１記載の方法。
【請求項１０】
クメンヒドロペルオキシド開裂生成物混合物の精製システムであって、
不純物を含有する塩水溶液相（２６）を不純物の水溶性誘導体を生成させるのに十分な温度及び時間加熱する手段、
水溶性誘導体（３０）を含有する塩水溶液相（２６）とクメンヒドロペルオキシド開裂生成物混合物（１６）とを合流させて合流生成物混合物とする手段、及び
合流生成物混合物から不純物の水溶性誘導体（３０）を含有する塩水溶液相（２６）を分離する手段
を備えるシステム。
【請求項１１】
クメンヒドロペルオキシド開裂生成物混合物の精製システムであって、
不純物を含有するクメンヒドロペルオキシド開裂生成物混合物供給材料（１６）がアルカリ性水溶液供給材料（１８）と流体連通し、
クメンヒドロペルオキシド開裂生成物混合物供給材料（１６）とアルカリ性水溶液供給材料（１８）が、塩水溶液相出口（２４）を備える中和ドラム（２０）と流体連通し、
不純物を含有する塩水溶液相供給材料（２６）が熱処理塩水溶液相出口（３０）を備える熱処理容器（２８）と流体連通し、
不純物の水溶性誘導体を含有する熱処理塩水溶液相供給材料（３０）が中和ドラム（２０）の手前でクメンヒドロペルオキシド開裂生成物混合物（１６）と流体連通している、
システム。
【手続補正書】
【提出日】平成17年12月2日(2005.12.2)
【手続補正１】
【補正対象書類名】特許請求の範囲
【補正対象項目名】請求項１２
【補正方法】変更
【補正の内容】
【請求項１２】
請求項１〜１０のいずれか１項に記載の生成物を含むチュブリン重合の阻害剤。
【手続補正２】
【補正対象書類名】特許請求の範囲
【補正対象項目名】請求項１３
【補正方法】変更
【補正の内容】
【請求項１３】
請求項１〜１０のいずれか１項に記載の生成物を含む血管組織から生じる細胞の塊の分解を促進するための医薬。
【手続補正３】
【補正対象書類名】特許請求の範囲
【補正対象項目名】請求項１４
【補正方法】変更
【補正の内容】
【請求項１４】
病理学的状態を治療するために有用である医薬を製造するための請求項１〜１０のいずれか１項に記載の生成物の使用。
【手続補正書】
【提出日】平成17年11月18日(2005.11.18)
【手続補正１】
【補正対象書類名】特許請求の範囲
【補正対象項目名】全文
【補正方法】変更
【補正の内容】
【特許請求の範囲】
【請求項１】
塩素化工程及び水素化工程を含むモノクロロ酢酸を製造する方法において、パーオキシカルボン酸を用いる酸化反応により、プロセス流からアルデヒドを除くことを含むことを特徴とする、モノクロロ酢酸を合成する方法。
【請求項２】
パーオキシカルボン酸がC1〜C24のモノパーオキシカルボン酸であることを特徴とする請求項１記載の方法。
【請求項３】
パーオキシカルボン酸が過酢酸を含むことを特徴とする請求項１または２記載の方法。
【請求項４】
パーオキシカルボン酸が、プロセス流中に存在するアルデヒドのモル量に対して略当モル量で使用されることを特徴とする請求項１〜３のいずれか１項記載の方法。
【請求項５】
酸化反応が、60〜100℃の温度で行われることを特徴とする請求項１〜４のいずれか１項記載の方法。
【請求項６】
酸化反応が、70〜90℃の温度で行われることを特徴とする請求項１〜５のいずれか１項記載の方法。
【請求項７】
酸化反応が、6×105  Pa以下の圧力で行われることを特徴とする請求項１〜６のいずれか１項記載の方法。
【請求項８】
酸化反応が、大気圧で行われることを特徴とする請求項１〜７のいずれか１項記載の方法。
【請求項９】
プロセス流が、酢酸リサイクル流であることを特徴とする請求項１〜８のいずれか１項記載の方法。
【手続補正２】
【補正対象書類名】明細書
【補正対象項目名】０００６
【補正方法】変更
【補正の内容】
【０００６】
本発明の、MCAを製造する塩素化工程及び水素化工程を含む方法は、パーオキシカルボン酸を用いる酸化反応により、プロセス流からアルデヒドを除くことを特徴とする。
【手続補正３】
【補正対象書類名】明細書
【補正対象項目名】００１３
【補正方法】変更
【補正の内容】
【００１３】
本発明に従う酸化反応は、広い温度範囲、典型的には−20℃〜150℃、で行うことができる。酸化を行うための実用的な温度範囲は、60℃〜100℃である。好ましい温度は、70〜90℃、より好ましくは約80℃である。
【手続補正４】
【補正対象書類名】明細書
【補正対象項目名】００２０
【補正方法】変更
【補正の内容】
【００２０】
2.2倍モル過剰量の過酢酸を、16分かけて、ポンプにより、80℃に加熱された約400ｇの酢酸リサイクル試料が入った１リットルの攪拌されたバッチ反応容器中に入れた。
30分後に、実際上、総てのアルデヒドが転換され、反応混合物から除去された。
【手続補正５】
【補正対象書類名】明細書
【補正対象項目名】００２１
【補正方法】変更
【補正の内容】
【００２１】
５倍モル過剰量の過酢酸を、16分かけて、ポンプにより、80℃に加熱された約400ｇの酢酸リサイクル試料が入った１リットルの攪拌されたバッチ反応容器中に入れた。本実施例では、塩化水素をストリッピングにより除去しなかった酢酸リサイクル試料を使用した。
ここでも、又、たった50分後に、実際上、総てのアルデヒドが転換され、反応混合物から除去された。
【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
３，４−テトラヒドロフランジオールを触媒量の少なくとも１種の金属触媒と接触させることを含んでなるテトラヒドロフランまたはテトラヒドロフランとテトラヒドロフランの前駆体との混合物の製造方法。
【請求項２】
３，４−テトラヒドロフランジオールがアンヒドロエリトリトール（ａｎｈｙｄｒｏｅｒｙｔｈｒｉｔｏｌ）である請求項１に記載の方法。
【請求項３】
金属触媒が周期律表第８族金属よりなる群から選択される請求項１に記載の方法。
【請求項４】
金属触媒がＲｈ、Ｒｅ、Ｐｄ、ＲｕおよびＮｉよりなる群から選択される請求項１に記載の方法。
【請求項５】
金属触媒が固体担体上に担持される請求項１に記載の方法。
【請求項６】
金属触媒が金属助触媒を含んでなる請求項１に記載の方法。
【請求項７】
金属助触媒が周期律表第８族金属、第１１族金属および第１２族金属、ならびにＳｎおよびＰｂから選択される請求項６に記載の方法。
【請求項８】
１００℃〜３００℃の温度および０．６９ＭＰａ〜１３．８ＭＰａの圧力で行う請求項１に記載の方法。
【請求項９】
ａ）１，２，３，４−テトラヒドロキシブタンを３，４−テトラヒドロフランジオールに転化し、
ｂ）場合により、３，４−テトラヒドロフランジオールを分離し、そして
ｄ）３，４−テトラヒドロフランジオールを触媒量の少なくとも１種の金属触媒と接触させる
工程を含んでなるテトラヒドロフランおよびテトラヒドロフランの前駆体の製造方法。
【請求項１０】
１，２，３，４−テトラヒドロキシブタンがエリトリトールであり、３，４−テトラヒドロフランジオールがアンヒドロエリトリトールである請求項９に記載の方法。
【手続補正２】
【補正対象書類名】明細書
【補正対象項目名】００３６
【補正方法】変更
【補正の内容】
【００３６】
【表７】
2005511624.tif 000001
なお、本発明の主たる特徴及び態様を要約すれば以下のとおりである。
１．  ３，４−テトラヒドロフランジオールを触媒量の少なくとも１種の金属触媒と接触させることを含んでなるテトラヒドロフランまたはテトラヒドロフランとテトラヒドロフランの前駆体との混合物の製造方法。
２．  ３，４−テトラヒドロフランジオールがアンヒドロエリトリトール（ａｎｈｙｄｒｏｅｒｙｔｈｒｉｔｏｌ）である上記１に記載の方法。
３．  金属触媒が周期律表第８族金属よりなる群から選択される上記１に記載の方法。
４．  金属触媒がＲｈ、Ｒｅ、Ｐｄ、ＲｕおよびＮｉよりなる群から選択される上記１に記載の方法。
５．  金属触媒が固体担体上に担持される上記１に記載の方法。
６．  テトラヒドロフランの前駆体をテトラヒドロフランに転化することをさらに含んでなる上記１に記載の方法。
７．  テトラヒドロフランの前駆体を触媒量の少なくとも１種の金属触媒と接触させることにより該前駆体をテトラヒドロフランに転化することをさらに含んでなる上記１に記載の方法。
８．  金属触媒が金属助触媒を含んでなる上記１に記載の方法。
９．  金属助触媒が周期律表第８族金属、第１１族金属および第１２族金属、ならびにＳｎおよびＰｂから選択される上記８に記載の方法。
１０．  金属助触媒がＺｎ、Ｃｄ、Ｓｎ、Ｐｂ、Ｒｕ、Ａｇ、ＡｕおよびＰｔよりなる群から選択される上記８に記載の方法。
１１．  固体担体が炭素である上記５に記載の方法。
１２．  金属触媒がＲｅである上記１１に記載の方法。
１２'．  金属助触媒がＰｔ、ＡｕまたはＲｕである上記１０に記載の方法。
１３．  １００℃〜３００℃の温度および０．６９ＭＰａ〜１３．８ＭＰａの圧力で行う上記１に記載の方法。
１４．  １５０℃〜２５０℃の温度および３．０ＭＰａ〜４．０ＭＰａの圧力で行う上記１に記載の方法。
１５．  エチレングリコールジメチルエーテル、ジオキサンおよびそれらの混合物よりなる群から選択される溶液中で行う上記１に記載の方法。
１６．  ａ）１，２，３，４−テトラヒドロキシブタンを３，４−テトラヒドロフランジオールに転化し、
ｂ）場合により、３，４−テトラヒドロフランジオールを分離し、そして
ｄ）３，４−テトラヒドロフランジオールを触媒量の少なくとも１種の金属触媒と接触させる
工程を含んでなるテトラヒドロフランおよびテトラヒドロフランの前駆体の製造方法。
１７．  １，２，３，４−テトラヒドロキシブタンがエリトリトールであり、３，４−テトラヒドロフランジオールがアンヒドロエリトリトールである上記１６に記載の方法。
１８．  金属触媒は周期律表第８族金属よりなる群から選択される上記１６に記載の方法。
１９．  金属触媒がＲｈ、Ｒｅ、Ｐｄ、ＲｕおよびＮｉよりなる群から選択される上記１７に記載の方法。
２０．  金属触媒が固体担体上に担持される上記１７に記載の方法。
２１．  テトラヒドロフランの前駆体をテトラヒドロフランに転化することをさらに含んでなる上記１７に記載の方法。
２２．  テトラヒドロフランの前記前駆体を該方法に再循環させる上記１７に記載の方法。
２３．  金属触媒が金属助触媒を含んでなる上記１７に記載の方法。
２４．  金属助触媒が周期律表第８族金属、第１１族金属および第１２族金属、ならびにＳｎおよびＰｂから選択される上記２３に記載の方法。
２５．  金属助触媒がＺｎ、Ｃｄ、Ｓｎ、Ｐｂ、Ｒｕ、Ａｇ、ＡｕおよびＰｔよりなる群から選択される上記２３に記載の方法。
２６．  固体担体は炭素である上記２０に記載の方法。
２７．  金属触媒はＲｅである上記２６に記載の方法。
２８．  金属助触媒がＰｔ、ＡｕまたはＲｕである上記２５に記載の方法。
２９．  １００℃〜３００℃の温度および０．６９ＭＰａ〜１３．８ＭＰａの圧力で行う上記１７に記載の方法。
３０．  １５０℃〜２５０℃の温度および３．０ＭＰａ〜４．０ＭＰａの圧力で行う上記１７に記載の方法。
３１．  エチレングリコールジメチルエーテル、ジオキサンおよびそれらの混合物よりなる群から選択される溶媒中で行う上記１７に記載の方法。
【手続補正書】
【提出日】平成17年11月17日(2005.11.17)
【手続補正１】
【補正対象書類名】特許請求の範囲
【補正対象項目名】全文
【補正方法】変更
【補正の内容】
【特許請求の範囲】
【請求項１】
毛髪の色素脱失により特徴付けられる疾患の処置用医薬組成物の製造のための少なくとも１つのＡｂｌ、Ｋｉｔおよび／またはＰＤＧＦレセプターチロシンキナーゼインヒビターの使用。
【請求項２】
Ａｂｌ、Ｋｉｔおよび／またはＰＤＧＦレセプターチロシンキナーゼインヒビターがＮ−｛５−［４−（４−メチル−ピペラジノ−メチル）−ベンゾイルアミド］−２−メチルフェニル｝−４−（３−ピリジル）−２−ピリミジン−アミンまたは医薬上許容されるその塩である、請求項１に記載の使用。
【請求項３】
毛髪の色素脱失により特徴付けられる疾患が白斑またはまだら症である、請求項２に記載の使用。
【請求項４】
Ａｂｌ、Ｋｉｔおよび／またはＰＤＧＦレセプターチロシンキナーゼインヒビターの少なくとも１つの有効量ならびに化粧品として許容される担体を含んでなる局所用化粧料組成物。
【請求項５】
Ａｂｌ、Ｋｉｔおよび／またはＰＤＧＦレセプターチロシンキナーゼインヒビターがＮ−｛５−［４−（４−メチル−ピペラジノ−メチル）−ベンゾイルアミド］−２−メチルフェニル｝−４−（３−ピリジル）−２−ピリミジン−アミンまたは医薬上許容されるその塩である、請求項４に記載の局所用化粧料組成物。
【手続補正２】
【補正対象書類名】明細書
【補正対象項目名】００２０
【補正方法】変更
【補正の内容】
【００２０】
「ａｂｌ−、ＰＤＧＦ−Ｒ−および／またはＫｉｔレセプター−チロシンキナーゼインヒビター」において使用される「および／または（and/or）」なる用語は、問題のチロシンキナーゼの１もしくはそれ以上が、この表現により包含される化合物により阻害されることを意味する。
【手続補正３】
【補正対象書類名】明細書
【補正対象項目名】００２１
【補正方法】変更
【補正の内容】
【００２１】
白髪（gray hair）は、しばしば、生命および加齢プロセスの避けられない部分として考えられる。毛髪の白髪化は、一般に、個体が年をとるにつれてメラニン形成細胞が色素産生を停止し、非着色毛髪（unpigmented hair）により着色された毛髪を徐々に置換することに起因する。この白髪化のプロセスは、しばしば、主に遺伝的性質により制御されているように見える白髪化の開始および速度で、４０才頃（もっと早くまたは遅くに始まり得るが）に始まる。いくつかの推計により、すべての女性の約５０％は、５０才までに少なくとも部分的には白髪がある。たいていの場合において、白髪化のプロセスは、一般に不可逆的であると考えられている；一旦、毛包が白髪を産生し始めると、元に戻らないようである。かくして、白髪化または既に白髪になったたいていの個体にとって、選択肢は限られている：現状を受け入れるか、または着色剤、ブリーチ、染料、ハイライト、ヘッドカバー（head covering）またはかつらでマスクする。しかしながら、一旦、着色技術を使用すると、それらは、色を維持し、そして望ましくない白髪の根元を避けるために定期的に繰り返され（もしくは少なくとも修正され）なければならない。
【手続補正４】
【補正対象書類名】明細書
【補正対象項目名】００２６
【補正方法】変更
【補正の内容】
【００２６】
白斑（vitiligo; vit-ill-EYE-go）は、皮膚におけるメラニン形成細胞（色素を生成する細胞）、粘膜（口および鼻および生殖器および直腸領域の内側を裏打ちする組織）、および網膜（眼球の内層）が破壊される色素障害である。結果として、皮膚の白色の斑点が体のさまざまな部分に現れる。白斑に罹患した領域で成長する毛髪は、通常、色素脱失のため白くなる。
【手続補正５】
【補正対象書類名】明細書
【補正対象項目名】００３０
【補正方法】変更
【補正の内容】
【００３０】
本明細書において使用される「治療的（curative）」または「予防する」なる語は、色素脱失の進行中の症状を処置する効力を意味する。自然な毛髪の色が回復および／または維持され得る。
【手続補正６】
【補正対象書類名】明細書
【補正対象項目名】００３４
【補正方法】変更
【補正の内容】
【００３４】
出願人の臨床試験において、フィラデルフィア（Philadelphia）染色体陽性ＣＭＬの確認された診断を有する１３３名の患者は、ノバルティス（Novartis）のプロトコールにしたがってイマチニブ（４００または６００ｍｇ／ｊ）の経口投与で処置された。最初から白髪である患者のうちの９名（６,７％）が、イマチニブ処置下で、進行性の毛髪再色素沈着（hair repigmentation）を示した（８例は頭部、１例は身体および頭部）。毛髪の色素沈着における変化は、処置時間の中央値５ヶ月（範囲２〜１４）の後に起きた。たいていの場合において、当該現象は、処置の３から６ヶ月後に明らかとなった。
【手続補正書】
【提出日】平成17年10月14日(2005.10.14)
【手続補正１】
【補正対象書類名】明細書
【補正対象項目名】００６８
【補正方法】変更
【補正の内容】
【００６８】
本発明のさらなる主題は、ヒトまたは動物の疾患、特に中枢神経系の疾患、例えば病的なストレス状態、うつ病および／または精神病の処置に、高血圧の処置（例えば、α−メチルドーパでの）中の副作用の軽減に、内分泌疾患および／または婦人科疾患の処置、例えば、末端肥大症、生殖機能不全、続発性無月経、月経前症候群（pre-menstrual syndrome）、思春期の望まない泌乳の処置に、および脳の疾患（例えば、片頭痛）、特に老人病学におけるものの、ある種の麦角アルカロイド類と同様な予防および治療に、脳卒中発作および脳虚血などの脳梗塞（脳卒中）の制御および予防に好適な医薬の製造への、一般式Ｉで表される化合物またはその耐容される塩もしくは溶媒和物の１種の使用である。さらにまた、一般式Ｉで表される化合物を含む医薬製剤および医薬は、認知能力の改善のため、およびアルツハイマー病の症状の処置のために適している。特に、かかる医薬は、統合失調症型の精神障害の処置のため、および精神病的な不安状態の制御のために適している。本発明に関して、処置という用語は、ヒトまたは動物の疾患の予防および治療を含む。
【手続補正２】
【補正対象書類名】明細書
【補正対象項目名】００７０
【補正方法】変更
【補正の内容】
【００７０】
本発明はまた、医薬活性化合物としての、式Ｉで表される化合物、および、それらの生理学的に許容し得る塩または溶媒和物に関する。
本発明はさらに、Ｄ２レセプターアンタゴニストおよび５−ＨＴ１Ａアゴニストとしての、式Ｉで表される化合物、およびそれらの生理学的に許容し得る塩または溶媒和物に関する。
さらにまた、本発明は、Ｄ２レセプターアンタゴニストおよび／または５−ＨＴ１Ａアゴニスト特性を有する化合物により治療され、または影響を受け得る疾患の処置または予防のための、式Ｉで表される化合物および／またはそれらの生理学的に許容され得る塩および／もしくは溶媒和物に関する。
本発明はまた、疾患の制御に使用するための、式Ｉで表される化合物、およびそれらの生理学的に許容し得る塩または溶媒和物に関する。
【手続補正３】
【補正対象書類名】明細書
【補正対象項目名】００９１
【補正方法】変更
【補正の内容】
【００９１】
例１２２〜１５０
【化２５】
2005511625.tif 000001
【手続補正４】
【補正対象書類名】明細書
【補正対象項目名】０１０８
【補正方法】変更
【補正の内容】
【０１０８】
例Ｆ
被覆錠剤
例Ｅと同様にして錠剤を調製し、これを次に、既知の方法で、スクロース、トウモロコシデンプン、タルク、トラガカントガムおよび着色剤で被覆した。
【手続補正書】
【提出日】平成17年9月13日(2005.9.13)
【手続補正１】
【補正対象書類名】特許請求の範囲
【補正対象項目名】全文
【補正方法】変更
【補正の内容】
【特許請求の範囲】
【請求項１】
HIV-1のgagタンパク質又はgagエピトープを含むその断片、及びHIV-1 Nefタンパク質又はnefエピトープを含むその断片をコードし、異種プロモーターに機能し得る形で連結されたヌクレオチド配列。
【請求項２】
gagタンパク質がp17を含む、請求項１に記載のヌクレオチド配列。
【請求項３】
gagタンパク質がさらにp24を含む、請求項２に記載のヌクレオチド配列。
【請求項４】
gag配列が、高度に発現されるヒト遺伝子におけるRSCU値が0.5のコドン使用に類似するようにコドン最適化されている、請求項１〜３のいずれか１項に記載のヌクレオチド配列。
【請求項５】
HIV-1のgagタンパク質又はgagエピトープを含む断片、nefタンパク質又はnefエピトープを含む断片及びRTタンパク質又はRTエピトープを含む断片をコードする、請求項１〜４のいずれか１項に記載のヌクレオチド配列。
【請求項６】
配列の順番が、RT、gag、Nef又はRT、Nef、gagである、請求項５に記載のヌクレオチド配列。
【請求項７】
RT配列又はその断片が、高度に発現されるヒト遺伝子に類似するようにコドン最適化されている、請求項２〜６のいずれか１項に記載のヌクレオチド配列。
【請求項８】
下記：
・Gag (p17,p24)、Nefトランケート；
・Gag (p17,p24) (コドン最適化されたもの)、Nef(トランケート)；
・Gag (p17,p24)、RT、Nef(トランケート)；
・コドン最適化Gag (p17,p24)、RT、Nef(トランケート)；
・コドン最適化Gag(p17,p24)、コドン最適化RT、Nefトランケート；
・RT (コドン最適化されたもの)、コドン最適化Gag (p17, p24)、Nefトランケート；
・RT (コドン最適化されたもの)、Nefトランケート、gag p17、コドン最適化p24；
からなる群より選択されるヌクレオチド配列。
【請求項９】
異種プロモーターがHCMV IE遺伝子に由来するプロモーターである、請求項１〜８のいずれか１項に記載のヌクレオチド配列。
【請求項１０】
前記プロモーターの5'がエキソン1を含む、請求項９に記載のヌクレオチド配列。
【請求項１１】
RTが、逆転写酵素活性を実質的に不活化する突然変異をコードする、請求項５〜９のいずれか１項に記載のヌクレオチド配列。
【請求項１２】
RTが、トリプトファン229がリジンへと置換されることによって突然変異している、請求項１１に記載のヌクレオチド配列。
【請求項１３】
請求項１〜１２のいずれか１項に記載のヌクレオチド配列を含むベクター。
【請求項１４】
ウイルスベクターである、請求項１３に記載のベクター。
【請求項１５】
複製欠陥型アデノウイルスである、請求項１４に記載のウイルスベクター。
【請求項１６】
二本鎖DNAプラスミドである請求項１３に記載のベクター。
【請求項１７】
請求項１〜１１のいずれか１項に記載のヌクレオチド配列によってコードされるタンパク質。
【請求項１８】
請求項１〜１１のいずれか１項に記載のヌクレオチド配列又は請求項１３、１４、１５もしくは１６に記載のベクター、及び製薬上許容し得る賦形剤、希釈剤、担体もしくはアジュバントを含む医薬組成物。
【請求項１９】
筋肉内又は皮内送達に適合させた請求項１８に記載の医薬組成物。
【請求項２０】
前記担体が金ビーズである請求項１８又は１９に記載の医薬組成物。
【請求項２１】
請求項１８、１９又は２０に記載の医薬組成物を含む皮内送達デバイス。
【請求項２２】
医療における使用のための、請求項１〜１２のいずれか１項に記載のヌクレオチド配列、請求項１３〜１６のいずれか１項に記載のベクター、又は請求項１８〜２０のいずれか１項に記載の組成物。
【請求項２３】
疾患の治療のための医薬の製造における、請求項１〜１２のいずれか１項に記載のヌクレオチド配列又は請求項１３〜１６のいずれか１項に記載のベクターの使用。
【請求項２４】
HIV-1のgagタンパク質又はその断片及び第2のタンパク質であるHIV-1 Nefタンパク質又はその断片をコードするヌクレオチド配列を異種プロモーター配列に機能し得る形で連結することを含む、請求項１〜１２のいずれか１項に記載のヌクレオチドの製造方法。
【手続補正書】
【提出日】平成17年12月9日(2005.12.9)
【手続補正１】
【補正対象書類名】特許請求の範囲
【補正対象項目名】請求項９
【補正方法】変更
【補正の内容】
【請求項９】
患者におけるＣ．ｔｒａｃｈｏｍａｔｉｓ感染性を中和するための医薬の製造における請求項５または請求項６に記載の組成物、あるいは請求項１に記載のタンパク質を認識する抗体の使用。
【手続補正２】
【補正対象書類名】特許請求の範囲
【補正対象項目名】請求項１０
【補正方法】変更
【補正の内容】
【請求項１０】
Ｃｈｌａｍｙｄｉａ ｔｒａｃｈｏｍａｔｉｓに対して患者を免疫するための医薬の製造における請求項５または請求項６に記載の組成物の使用。
【手続補正３】
【補正対象書類名】特許請求の範囲
【補正対象項目名】請求項１１
【補正方法】変更
【補正の内容】
【請求項１１】
Ｃｈｌａｍｙｄｉａ ｔｒａｃｈｏｍａｔｉｓ基本小体に特異的な抗体を惹起するための医薬の製造における請求項５または請求項６に記載の組成物の使用。
【手続補正４】
【補正対象書類名】特許請求の範囲
【補正対象項目名】請求項１２
【補正方法】変更
【補正の内容】
【請求項１２】
請求項１に記載のタンパク質を認識する抗体を惹起するための医薬の製造におけるＣｈｌａｍｙｄｉａ ｔｒａｃｈｏｍａｔｉｓ基本小体の使用。